(57)【特許請求の範囲】
【請求項１】
送信部側と受信部側とを含む電気通信システムにおけるセル伝送保護方法であって、
送信部側では、２つの異なる物理リンクで２つの同じセルのフローを同時に伝送し、時間マーカーとして供給するセルを前記各フローに規則的に挿入して、各セルからなるブロック若しくは各セルからなる複数ブロックの各群を限定し、ブロック若しくは複数ブロックの各群のそれぞれは、このブロック若しくは前記群における前記複数ブロック内のエラーに関する情報を含んだセルを有しており、
受信部側では、
前記２つのリンクで各々伝送された２つのセルのフローをそれぞれ受信し、
各フローに対して、セル内に含まれるブロック若しくは複数ブロック群に関係したエラー情報を検討して、各フローにおけるブロック若しくは複数ブロック群が正しいか否かを決定し、
もし、２つのブロック若しくは複数ブロックの群の少なくとも一方が正しいと判断されれば、前記エラー情報を考慮して、正しいブロック若しくは複数ブロックの群を選び出し、
もし、２つのブロック若しくは複数ブロックの群が正しくないと判断されれば、セル毎の選択プロセスを利用することを特徴とする電気通信システムにおけるセル伝送保護方法。
【請求項２】
前記セル毎の選択プロセスのステップは、第２のセルより少ないエラーを有する第１セルを選択することを特徴とする請求項１記載の保護方法。
【請求項３】
前記ブロック若しくは複数ブロックの群を選択するステップは、
（ａ）もし、２つのリンクに各々属する２つのブロック若しくは複数ブロックの群が正しいと判断されれば、いずれかのブロック若しくは複数ブロックの群を無差別に選び出し、
（ｂ）もし、第１のリンク（１）により運ばれたブロック若しくは複数ブロックの群が正しいと判断されたのに対して、第２のリンク（２）により運ばれたブロック若しくは複数ブロックの群が正しくないと判断されれば、第１のリンク（１）により運ばれたブロック若しくは複数ブロックの群を選択し、
（ｃ）もし、第２のリンク（２）により運ばれたブロック若しくは複数ブロックの群が正しいと判断されたのに対して、第１のリンク（１）により運ばれたブロック若しくは複数ブロックの群が正しくないと判断されれば、第２のリンク（２）により運ばれたブロック若しくは複数ブロックの群を選択することを特徴とする請求項１記載の保護方法。
【請求項４】
前記セル毎の選択プロセスは、前記２つのブロック（Ｂp,1およびＢp,2）または複数ブロックの群のそれぞれに対し、セル毎の連続した選択を行なうことからなり、このセル毎の選択は、一方では現在のセルのヘッダーに含まれるエラーの情報を利用し、他方ではその後に続くセルのヘッダーに含まれるエラーの情報を利用することに基づいていることを特徴とする請求項１の保護方法。
【請求項５】
前記エラーの情報が、各セルのヘッダーに含まれるいわゆるＨＥＣフィールドのシンドロームから含まれることを特徴とする請求項４の保護方法。
【請求項６】
前記セル毎の連続した選択は、
もし、シンドロームＨＥＣ（ＣN,1）とシンドロームＨＥＣ（ＣN,2）が等しく、シンドロームＨＥＣ（ＣN＋1,1）とシンドロームＨＥＣ（ＣN＋1,2）に同じものが当てはまる場合、いずれかのセルを無差別に選び出し、
もし、シンドロームＨＥＣ（ＣN,1）とシンドロームＨＥＣ（ＣN,2）が等しいのに対して、リンク（1）のセル（ＣN＋1,1）がリンク（２）のセル（ＣN＋1,2）よりもエラーが少ないことを、シンドロームＨＥＣ（ＣN＋1,2）とシンドロームＨＥＣ（ＣN＋1,1）の比較が示している場合は、セルＣN,1を選び出し、
もし、シンドロームＨＥＣ（ＣN,1）とシンドロームＨＥＣ（ＣN,2）が等しいのに対して、リンク（1）のセル（ＣN＋1,1）がリンク（２）のセル（ＣN＋1,2）よりエラーが多いことを、シンドロームＨＥＣ（ＣN＋1,2）とシンドロームＨＥＣ（ＣN＋1,1）の比較が示している場合は、セルＣN,2を選び出し、
もし、リンク（1）のセル（ＣN,1）がリンク（２）のセル（ＣN,2）よりもエラーが少ないことを、シンドロームＨＥＣ（ＣN,2）とシンドロームＨＥＣ（ＣN,1）の比較が示している場合は、セル（ＣN,1）を選び出し、
そして最後に、リンク（1）のセル（ＣN,1）がリンク（２）のセル（ＣN,2）よりもエラーが多いことを、シンドロームＨＥＣ（ＣN,2）とシンドロームＨＥＣ（ＣN,1）の比較が示している場合は、セル（ＣN,2）を選び出し、
ＨＥＣ（ＣN,X）は、その値がセルＣN,Xにおけるエラーが多いか少ないかの自然数を示す関数であり、ＣN,Xは考慮中のブロック内のオーダーＮにおけるセルで、Ｘは前記セルが運ばれたリンクの番号であることを特徴とする請求項５の保護方法。
【請求項７】
２つの同じフローに配送される前記セルは、セル同期装置を用いて整列されることを特徴とする請求項１記載の保護方法。
【請求項８】
送信部側では、２つのリンク（１，２）のそれぞれから流れ出るフローを同期するのに利用される、あるオーダー番号を有するセルを、前記フローのそれぞれで規則的に挿入することを特徴とする請求項１〜７のいずれか一つに記載の保護方法。
【請求項９】
ブロックのマーカーとして供給するセルとして、エラー情報を含む前記物理セルを利用することを特徴とする請求項１〜８のいずれか一つに記載の保護方法。
【請求項１０】
各リンクのセルの伝送が、セルベースモードにおいて行なわれる電気通信システムに適用され、複数ブロックのマーカーとして供給するセルとして、いわゆるＯＡＭ  Ｆ３セルを利用することを特徴とする請求項９記載の保護方法。
【発明の詳細な説明】
【０００１】
本発明は電気通信システム、特にいわゆるＡＴＭ（Asynchronous Transfer Mode:非同期転送モード）セルを伝送するのに設計された広帯域ＩＳＤＮ広帯域ネットワークのような、広帯域電気通信システムにおけるセル伝送保護方法に関する。より正確には、本発明の方法は、あらゆるＡＴＭシステムの伝送収斂（ＴＣ：Transmission Convergence）に関するもので、特にいわゆるＳＯＮＥＴ（Synchronous Optical Network）／ＳＤＨ（Synchronous Digital Hierarchy）システム、およびいわゆるＩＴＵ−Ｔ勧告Ｉ.432に記述されるようないわゆるセルベースシステム（cell-based system）の双方に利用可能である。
【０００２】
広帯域ＩＳＤＮにおけるプロトコル参照モデルＰＲＭは、それ自身が物理媒体ＰＭサブレイヤーと伝送収斂ＴＣサブレイヤーのそれぞれからなる２つのサブレイヤーに分割された物理的レイヤーを提供する。ＰＭサブレイヤーは、物理媒体使用だけに依存する機能を含んでいる。一方ＴＣサブレイヤーに関しては、フレーム発生と回復，伝送フレームへの適応，セル範囲の限定，いわゆるＨＥＣ（Header Error Control:ヘッダーエラーコントロール）コードの発生機能と、伝送速度の適応機能をカバーする。したがって、伝送収斂ＴＣサブレイヤーは、送信側において、物理媒体のＡＴＭセルを伝送するのに必要なバイナリー機能を提供し、受信側において、受け取ったバイナリーストリームからＡＴＭセルを取り出すのに必要な機能を提供する。
【０００３】
ネットワーク内では、物理媒体がさまざまな混乱を被るので、ＡＴＭセルが受け取りを誤り、この誤りにより無効にされなければならない可能性もある。損失率を減らし、伝送品質を向上させるために、二重化した物理的媒体、すなわち一つだけの伝送リンクに代わって２つの伝送リンクを利用する方法が、すでに提案されている。こうした方法を、図１に関連してここで記述する。
【０００４】
図１は、伝送収斂サブレイヤーＴＣが、２つのリンク１，２に同時にバイナリーストリームのＡＴＭセルを伝送するのに必要な機能を実行する送信部10を示している。また、サブレイヤーＴＣが通常は第１のリンク１からセルを受け取るが、第１のリンクが利用できない場合には、サブレイヤーＴＣが第２のリンク２にスイッチして、この第２のリンク２からセルを取り出す受信部20を示している。セルのエラーを決定する機能が、リンク１およびリンク２によって搬送され、受信部20の収斂サブレイヤーによってスイッチ機能が処理されることに注目すべきである。
【０００５】
この方法の欠点は、２つのリンク１，２間のスイッチングが、本質的に瞬間的ではない接続であるので、スイッチング期間中の損失を導く。
【０００６】
1995年3月27日から30日におけるＩＥＩＣＥ会議で提案され、オオタ ヒロシ氏とウエマツ ヒトシ氏により示された方法は、送信部の伝送収斂（ＴＣ）サブレイヤーが、２つのリンクで同時にＡＴＭセルを伝送するのに必要な機能を実行し、しかも受信部における２つのＴＣサブレイヤーが、各々２つのリンクから受け取ったデータからＡＴＭセルを取り出す機能を実行することからなる。主リンクおよび第２のリンクは、推測的に異なる長さを有するので、２つのリンクから現れる各フロー間の伝送時間の違いを補正し、そしてこれらのＡＴＭセルのフローを再同期するためのメカニズムが、受信部に提供される。受信部が主リンクで不正なセルを検出すると、メカニズムは第２のリンクにスイッチする。しかし、前述の場合とは違い、この前述の場合の問題を解決するために、不正なセルよりも前のセルでスイッチングが行なわれるので、スイッチングの遅延がない。同じやり方が、第２のリンクで適用されることに注目すべきである。
【０００７】
この従来の方法では、２つの伝送リンク間のスイッチングが、ＡＴＭセルの損失なしに行なわれる利点を有する。これは、各々のリンクで受け取ったＡＴＭセルが、２つのリンク間の伝送時間の違いを補正するのに一致させられ、しかも、一方のリンクでシステムがエラーを検出すると、システムは他方のリンクに移って、エラーを検出したセルよりも前にあるセルを確定するからである。
【０００８】
にも拘らず、一方のリンクで受信部が不正なセルを検出したときに、第２のリンクにスイッチしても、そのスイッチングが実際に応じられたという保証は何もない。
【０００９】
本発明の目的は、上述したような保護電気通信システムにおけるセル伝送保護方法ではあるが、上記の欠点を有しない方法を提案することにある。
【００１０】
これを行なうために、前記方法は、送信部側では、マーカーとして供給するセルを前記各フローに規則的に挿入して、各セルからなるブロック若しくは各セルからなる複数ブロックの各セットを限定し、受信部側では、ブロック若しくは複数ブロック群毎に、別のフローにおける同一オーダー番号のブロックまたは複数ブロック群と比較して、より少ない伝送エラーを有するセルのフローから、ブロック若しくは複数ブロック群を選択することからなる。
【００１１】
また、本発明の他の特徴によれば、限定したブロック若しくは複数ブロックの各セットのそれぞれは、このブロック若しくは前記セットにおける前記複数ブロック内のエラーに関する情報を含んだ物理セルを有しており、前記フローの一方から選択したブロック若しくは複数ブロック群は、それがより少ないエラーであることを、前記物理セル内に含まれるブロック若しくは複数ブロック群に関係したエラー情報の検討が示している。
【００１２】
また、本発明の他の特徴によれば、ブロック若しくは複数ブロックの各セットのマーカーとして供給するセルとして、エラー情報を含む前記物理セルを利用している。
【００１３】
また、本発明の他の特徴によれば、本発明による保護方法は、各リンクのセルの伝送が、セルベースモードにおいて行なわれる電気通信システムに適用され、ブロック若しくは複数ブロックの各セットのマーカーとして供給するセルとして、いわゆるＯＡＭ  Ｆ３セルを利用することからなる。
【００１４】
また、本発明の他の特徴によれば、
もし、２つのリンクに各々属する２つのブロックまたは２つの複数ブロックの群が正しいと判断されれば、いずれかのブロックまたは複数ブロックの群を無差別に選び出し、
もし、第１のリンクにより運ばれたブロックまたは複数ブロックの群が正しいと判断されたのに対して、第２のリンクにより運ばれたブロックまたは複数ブロックの群が正しくないと判断されれば、第１のリンクにより運ばれたブロックまたは複数ブロックの群を選択し、
逆にもし、第２のリンクにより運ばれたブロックまたは複数ブロックの群が正しいと判断されたのに対して、第１のリンクにより運ばれたブロックまたは複数ブロックの群が正しくないと判断されれば、第２のリンクにより運ばれたブロックまたは複数ブロックの群を選択し、
そして最後に、２つのブロックまたは２つの複数ブロックの群が正しくないと判断されれば、ブロック毎または複数ブロックの群毎の選択プロセスとは別の選択プロセスを利用する。
【００１５】
例えば、本発明の別の特徴によれば、前記別の選択プロセスは、前記２つのブロックのそれぞれに含まれる各セルに対するいわゆるセル毎に連続した選択を実行することからなる。例えば、前記セル毎に連続した選択プロセスは、そのヘッダーにより少ないエラーを有する一方または他方のリンクからセルを選択することからなる。有益的には、前記セル毎に連続した選択プロセスは、各セルのヘッダーに含まれるいわゆるＨＥＣフィールドのシンドロームを利用することに基づいている。
【００１６】
本発明の別の特徴によれば、前記セル毎に連続した選択プロセスは、一方では現在のセルのヘッダーに含まれるいわゆるＨＥＣフィールドのシンドロームを利用し、他方ではその後に続くセルのヘッダーに含まれるいわゆるＨＥＣフィールドのシンドロームを利用することに基づいている。
【００１７】
本発明の別の特徴によれば、前記セル毎の連続した選択は、
もし、シンドロームＨＥＣ（ＣN,1）とシンドロームＨＥＣ（ＣN,2）が等しく、シンドロームＨＥＣ（ＣN＋1,1）とシンドロームＨＥＣ（ＣN＋1,2）に同じものが当てはまる場合、いずれかのセルを無差別に選び出し、
もし、シンドロームＨＥＣ（ＣN,1）とシンドロームＨＥＣ（ＣN,2）が等しいのに対して、リンク（１）のセル（ＣN＋1,1）がリンク（２）のセル（ＣN＋1,2）よりもエラーが少ないことを、シンドロームＨＥＣ（ＣN＋1,2）とシンドロームＨＥＣ（ＣN＋1,1）の比較が示している場合は、セルＣN,1を選び出し、
もし、シンドロームＨＥＣ（ＣN,1）とシンドロームＨＥＣ（ＣN,2）が等しいのに対して、リンク（1）のセル（ＣN＋1,1）がリンク（２）のセル（ＣN＋1,2）よりエラーが多いことを、シンドロームＨＥＣ（ＣN＋1,2）とシンドロームＨＥＣ（ＣN＋1,1）の比較が示している場合は、セルＣN,2を選び出し、
もし、リンク（１）のセル（ＣN,1）がリンク（２）のセル（ＣN,2）よりもエラーが少ないことを、シンドロームＨＥＣ（ＣN,2）とシンドロームＨＥＣ（ＣN,1）の比較が示している場合は、セル（ＣN,1）を選び出し、
そして最後に、リンク（１）のセル（ＣN,1）がリンク（２）のセル（ＣN,2）よりもエラーが多いことを、シンドロームＨＥＣ（ＣN,2）とシンドロームＨＥＣ（ＣN,1）の比較が示している場合は、セル（ＣN,2）を選び出し、
ＨＥＣ（ＣN,X）は、考慮中のブロック内のオーダーＮにおけるセルのヘッダー内で、その値がエラービットの数を示す関数であり、Ｘは前記セルが運ばれたリンクの番号である。
【００１８】
また、本発明の他の特徴によれば、２つの同じフローに配送される前記セルは、セル同期装置を用いて整列される。
【００１９】
また、本発明の他の特徴によれば、送信部側では、２つのリンクのそれぞれから流れ出るフローを同期するのに利用される、あるオーダー番号を有するセルを、前記フローのそれぞれで規則的に挿入する。
【００２０】
上述した本発明の特徴は、他のものも同様に、添付図面に関連して与えられ、次に例示した実施態様の記述を読解することで、より明確に現れるであろう。
【００２１】
本発明の方法が図２によって示されており、ここでは、受信部10が伝送収斂ＴＣサブレイヤーの機能を提供するユニットＴＣを有していることが見て取れよう。このユニットＴＣは、ＡＴＭセルのフローを受け取り、その同時伝送のために２つの伝送リンク１，２でＡＴＭセルのフローを準備する。
【００２２】
その各々が伝送収斂サブレイヤーの機能を提供する２つのユニットＴＣ１，ＴＣ２を備えた受信部20も見て取れよう。特に、各ユニットＴＣ１，ＴＣ２は、対応するリンク１，２で受け取ったデータフローから伝送されたセルを取り出して、それを出力で配送する。
【００２３】
リンク１およびリンク２の伝送モードは、例えば各フレームにセルが配置されることに基づく、ＳＤＨ（Synchronous Digital Hierarchy）タイプの同期伝送モードでもよい。この伝送モードの詳細を定義するのに、ＩＴＵ−Ｔ勧告G.707からG.709を参照することが可能である。
【００２４】
さらに伝送モードは、セルが連続フローに配置されることに基づく、いわゆるセルベース（cell-based）伝送モードシステムでもよい。物理レイヤーセル、すなわちＡＴＭレイヤーで考慮されていないセルが、一定数のＡＴＭレイヤーセル（ＡＴＭセルとして引用される）の後に挿入される。これらの物理レイヤーセルは、空のセル若しくはＯＡＭ（動作，管理および保守）セルのこともある。後者のＯＡＭセルは、インターフェースの動作，管理および保守に関する情報を運ぶのに用いられる。セルベース伝送モードにより伝送されたセルのフローでは、物理レイヤーのＯＡＭセルが周期的に挿入され、つまり２つの連続したＯＡＭセルの間にあるＡＴＭセルの数が一定になる。
【００２５】
双方のリンクにより配送されるセルは、セル同期装置21にて整列される。ここで、本発明のセル整列プロセスを図３に関連して記述する。
【００２６】
送信部10の収斂サブレイヤーＴＣによって瞬間ｔで伝送される、あらゆるＡＴＭセルＣＮが考慮されるであろう。収斂サブレイヤーの機能を提供するユニットＴＣ１によって、リンク１からＡＴＭセルを受け取ると、このセルＣＮは同じ収斂サブレイヤーユニットＴＣ１により瞬間ｔ１で取り出され、セルＣＮ，１がユニットＴＣ１によって配送される。同様に、ユニットＴＣ２によってリンク２からＡＴＭセルを受け取ると、このセルＣＮは同じ収斂サブレイヤーユニットＴＣにより瞬間ｔ２で取り出され、セルＣＮ，２がユニットＴＣ２によって配送される。２つのリンク１，２は推測的で一般に異なる長さを有しており、瞬間ｔ１，ｔ２も一般に異なっている。図３において、瞬間ｔ１は瞬間ｔ２よりも早い。これは、リンク１がリンク２よりも短かいという事実に起因する。
【００２７】
セル同期装置21は、短かいリンクからのセルをその内部に蓄積するメモリを備えている。これは、２つのリンク１，２で受け取ったセルを同期させるために、セルＣＮ，１が対応するセルＣＮ，２の受け取り前に、Δセルの受け取りを待機しなければならないからである。したがって、このメモリの容量を決定するには、処理する位置にあることが望まれる時間差（ｔ２−ｔ１）を考慮しなければならない。しかし、この時間差は、２つのリンク１，２間の長さの違いと、さらにリンク１，２の伝送速度の違いの双方に依存する。セルを蓄積することは、２つのリンク間の伝送時間の違いを補正可能にさせることを理解すべきである。
【００２８】
セルを整列するために、時間マーカー（印）が利用される。これを行なうのに、リンク１，２の伝送モードがいわゆるセルベース伝送モードに一致したときに、物理レベルのＯＡＭ  Ｆ３セルを時間マーカーとして利用する。前述したように、これらのＯＡＭ  Ｆ３セルは、ＡＴＭセルのフローに周期的に挿入される。すなわち、２つの連続するＯＡＭ  Ｆ３セルの間にあるＡＴＭセルの数は一定である。さらに、物理レベルのＯＡＭ  Ｆ３セルは、そのオーダー番号を示すフィールドを有しており、お互いのセルからＯＡＭ  Ｆ３セルを区別できるようになっている。
【００２９】
この方法では、リンク２において、番号ＰのＯＡＭ  Ｆ３セルの後でＭ個のセルが到着するセルＣＮ，２が、リンク１において、番号ＰのＯＡＭ  Ｆ３セルの後でＭ個のセルが到着するセルＣＮ，１のイメージであることがわかっている。
【００３０】
リンク１，２の伝送モードがいわゆるセルベース伝送モードに一致せず、例えばＳＤＨ伝送モードであったとしても、ＯＡＭ  Ｆ３セル若しくはオーダー番号を有するあらゆるタイプのセルが周期的に挿入され、それがセルのフローにおいて時間マーカーとして供給できる。
【００３１】
同期装置21により配送されるセルの各フローは、ＡＴＭレベルセルのフローを順に配送する選択装置22の入力に送られる。
【００３２】
本発明の第１の実施様態によれば、２つの連続するＯＡＭ  Ｆ３セルの間にある一組（１セット）のセルとして、セルのブロックが定義される。図３におけるセルのブロックは、例えば番号ＰのＯＡＭ  Ｆ３セルと、番号Ｐ＋１のＯＡＭ  Ｆ３セルの間にある一組のセルである。ＯＡＭ  Ｆ３セルは周期的に挿入されるので、各ブロックは一定のサイズとなる。各ブロックが、ＡＴＭレベルセルや、割り当てられていないＡＴＭレイヤーセルや、セルレートに適合するのに用いられたいわゆるアイドル（idle）不活性セルのような物理的レイヤーセルを含んでもよいことに注目すべきである。その後選択装置22は、同期装置21から流出した各フロー毎に、ＯＡＭ  Ｆ３セルによって限定されたセルのブロックを調べる。ＯＡＭ  Ｆ３セルは、伝送エラーがセルのブロック内に発生しているか否かを示すチェックフィールドを部分的に含んでいる。番号ＰのＯＡＭ  Ｆ３セルに続くセルのブロックの妥当性は、番号Ｐ＋１のＯＡＭ  Ｆ３セルによって、その受け取りで決定される。
【００３３】
ＡＴＭセルは48オクテットのユーザー情報フィールドに続いて、５オクテッドを有するヘッダーからなる。ＯＡＭ  Ｆ３セルに存在するチェックフィールドは、ペイロードによって移送される情報、若しくはブロックにおけるＡＴＭセルの情報フィールドの妥当性を確立させることができる。各セルにおけるヘッダーの妥当性に関しては、このヘッダーが含んでおり、ＨＥＣ（Header Error Control:ヘッダーエラーコントロール）フィールドとしても参照される特定のフィールドからこれが決定される。
【００３４】
本発明では、各伝送リンクに対し、例えば番号ＰのＯＡＭ  Ｆ３セルを受け取った後、後に続くすなわち番号Ｐ＋１のＯＡＭ  Ｆ３セルを受け取るまで、各セルからなるブロックが蓄積される。ちょうどその時、選択装置22は各セルからなるブロックが各々正しいか否かを決定する。これを行なうのに、一方ではブロック内におけるセルのペイロードの妥当性を決定するために、このブロックに対応したＯＡＭ  Ｆ３セル（ここでは、番号Ｐ＋１のＯＡＭ  Ｆ３セル）を利用し、他方では各セルのヘッダーの妥当性を決定するために、これらのセルのＨＥＣフィールドを決定する。したがって、それらのペイロードおよびセルのヘッダーの両方で、伝送エラーが発生しなければ、装置22はそのブロックを正しいものとして考慮（検討）する。
【００３５】
セルのブロックの確認が、セルの同期プロセスが行なわれていると仮定する２つの伝送リンクで平行して行なわれることに注目すべきである。
【００３６】
本発明の第２の実施態様によれば、いわゆるセルベース（cell-based）モードに基づく伝送の場合でも、同期装置から流出する各フローにおいて、ＯＡＭ  Ｆ３セルにより限定される予め考慮（検討）されたブロックのサブセット（小さな一組）である複数ブロックを、選択装置22が考慮する。例えば、選択装置22は、番号Ｐと番号Ｐ＋１の２つの各ＯＡＭ  Ｆ３セル間にある論理的に定義された８つのブロックのそれぞれを考慮する。番号Ｐ＋１のＯＡＭ  Ｆ３セルは、先行するＯＡＭ  Ｆ３セル以後に到着した８つのブロックの妥当性についての情報を含んでいる。このため、番号Ｐ＋１のＯＡＭ  Ｆ３セルを受け取ると、選択装置22は、このセルに含まれる情報に基づいて、いずれか一方のリンクからの妥当な複数ブロックを選択できる。
【００３７】
このモードでは、選択装置22が複数ブロックの群（グループ）毎に、この複数ブロック群に属している一組の複数ブロックに対応したＯＡＭ  Ｆ３セルに含まれる情報に基づいて、妥当と判断された複数ブロック群を選択することに注目すべきである。複数ブロック群は、例えば２，３あるいはそれ以上のブロックである予め定義された数からなる。
【００３８】
第３の実施態様では、いわゆるセルベース（cell-based）モード以外のモードに基づく伝送の場合で、時間マーカーとして利用するセルにより限定された各セルからなる複数ブロックを、装置22が考慮する。これもまた、各セルは限定された複数ブロック内で生じたあらゆる伝送エラーの情報を含んでいる。しかしながら、ＯＡＭ  Ｆ３セルにより移送された妥当なチェックフィールドを、２つのリンクを同期させるのに利用される時間マーカーのセルに移送される、別な種類のパリティチェックフィールドに置き換えてもよい。
【００３９】
第３の実施態様では、これもいわゆるセルベース（cell-based）モード以外のモードに基づく伝送の場合で、時間マーカーとして利用する各セルにより限定された複数ブロックのサブセットである、各セルからなる複数ブロックを考慮する。
【００４０】
ここで、いわゆるセルベース（cell-based）モード伝送の場合を見ると、番号ＰのＯＡＭ  Ｆ３セルと、番号Ｐ＋１のＯＡＭ  Ｆ３セルとの間にあって、リンク１により運ばれるセルのブロックＢp,1が考慮される。同様に、番号ＰのＯＡＭ  Ｆ３セルと、番号Ｐ＋１のＯＡＭ  Ｆ３セルとの間にあって、リンク２により運ばれるセルのブロックＢp,2が考慮される。本発明に基づく選択方法は次の通りである。
【００４１】
２つのブロックＢp,1とブロックＢp,2が正しいと判断されれば、ブロックＢp,1またはブロックＢp,2のいずれかを無差別に選び出し、
リンク２で運ばれたブロックＢp,1が正しいと判断されたのに対して、リンク２で運ばれたブロックＢp,2が正しくないと判断されれば、ブロックＢp,1を選択し、
逆に、ブロックＢp,2が正しいと判断されたのに対して、ブロックＢp,1が正しくないと判断されれば、ブロックＢp,2を選択し、
そして最後に、２つのブロックＢp,1およびブロックＢp,2が正しくないと判断されれば、いわゆるセル毎に連続する選択方法が、２つのブロックＢp,1およびブロックＢp,2の各セルに充当される。好ましい実施態様における方法は、以下に述べる。
【００４２】
仮に、選択装置22が複数ブロックの群を考慮する場合、または複数ブロックを考慮しない場合は、２つのブロックＢp,1およびブロックＢp,2の代わりに、２つのリンクに各々存在する２つの複数ブロック群を考慮することを除けば、同一の方法を利用できることにも注目すべきである。
【００４３】
選択装置22が、ＯＡＭ  Ｆ３セルにより限定された複数ブロックのサブセットである複数ブロックを考慮する所で、各ブロックまたは複数ブロック群の正しい状態または正しくない状態は、前記ブロックまたは複数ブロック群の到着に続くＯＡＭ  Ｆ３セルに含まれる情報から決定される。
【００４４】
セルベース（cell-based）モード以外のタイプの伝送では、同一のプロセスを利用することができると共に、各ブロックの正しいまたは正しくない状態が、それらのブロック間の複数ブロックあるいは複数ブロックの各セットのいずれかを限定する複数セルに含まれる情報から、決定される。
【００４５】
セル毎に連続した選択方法は、各リンクにおける２つのブロックまたはセルのブロック群が正しくないときにだけ充当される。もし必要ならば、このセル選出方法によるセルは、より良好なパフォーマンスを提供するリンクを、各セルに対し選出させることが可能である。ブロックずつ、若しくは複数ブロック群ずつに連続した選択が利用されないところで、デフォルト（通常）でのシステムがセル毎に連続した選択方法を実行する。
【００４６】
好ましい実施態様によれば、送信部10のＴＣサブレイヤーにより伝送されたブロック内のオーダーＮにおける各セルに対し、セルＣN,1とセルＣN,2の間で、そのヘッダー内でより少ないエラーを有するセルを選び出すことから選択がなされる。エラー検出は、ＨＥＣ（Header Error Control:ヘッダーエラーコントロール）フィールドのシンドローム（一群）を利用することに基づく。送信部の伝送収斂サブレイヤーで、ＨＥＣフィールドを計算するのに利用される多項式が、各セルのヘッダー内におけるシングルビットエラーまたは複数ビットエラーの検出と、シングルエラー（一つのエラービットだけ）が関係するこれらのエラーの訂正の両方を可能にする。
【００４７】
本発明によれば、セルＣN,1またはセルＣN,2のいずれかを選択するために、セルＣN,XのシンドロームＨＥＣ（ＣN,X）の関数により取得した値だけでなく、セルＣN,X＋1のシンドロームＨＥＣの関数により取得した値も、基本として利用する。したがって、
もし、シンドロームＨＥＣ（ＣN,1）とシンドロームＨＥＣ（ＣN,2）が等しく、シンドロームＨＥＣ（ＣN＋1,1）とシンドロームＨＥＣ（ＣN＋1,2）に同じものが当てはまる場合、いずれかのセルを無差別に選び出し、
もし、シンドロームＨＥＣ（ＣN,1）とシンドロームＨＥＣ（ＣN,2）が等しいのに対して、リンク（１）のセル（ＣN＋1,1）がリンク（２）のセル（ＣN＋1,2）よりもエラーが少ないことを、シンドロームＨＥＣ（ＣN＋1,2）とシンドロームＨＥＣ（ＣN＋1,1）の比較が示している場合は、セルＣN,1を選び出し、
もし、シンドロームＨＥＣ（ＣN,1）とシンドロームＨＥＣ（ＣN,2）が等しいのに対して、リンク（１）のセル（ＣN＋1,1）がリンク（２）のセル（ＣN＋1,2）よりエラーが多いことを、シンドロームＨＥＣ（ＣN＋1,2）とシンドロームＨＥＣ（ＣN＋1,1）の比較が示している場合は、セルＣN,2を選び出し、
もし、リンク（１）のセル（ＣN,1）がリンク（２）のセル（ＣN,2）よりもエラーが少ないことを、シンドロームＨＥＣ（ＣN,2）とシンドロームＨＥＣ（ＣN,1）の比較が示している場合は、セル（ＣN,1）を選び出し、
そして最後に、リンク（１）のセル（ＣN,1）がリンク（２）のセル（ＣN,2）よりもエラーが多いことを、シンドロームＨＥＣ（ＣN,2）とシンドロームＨＥＣ（ＣN,1）の比較が示している場合は、セル（ＣN,2）を選び出す。
【００４８】
ＨＥＣ（ＣN,X）は、その値がＸ＝１若しくはＸ＝２でのセルＣN,Xにおけるエラーが多いか少ないかの自然数を示す関数である。例えば、ＨＥＣ（ＣN,X）は、その値がセルＣN,Xにおけるエラービット数を与える関数である。関係するセルのＨＥＣフィールドに含まれるシンドロームから、エラービット数を決定できることに注目すべきである。
【００４９】
本発明における一つの実施態様では、例えば、
もし、セルＣN,Xのヘッダーにエラーがなければ、ＨＥＣ（ＣN,X）＝２とし、
もし、セルＣN,Xのヘッダーに唯一のエラービットだけがあれば、ＨＥＣ（ＣN,X）＝１とし、
もし、セルＣN,Xのヘッダーに１を超えたエラービットがあれば、ＨＥＣ（ＣN,X）＝０とする。
【００５０】
この関数ＨＥＣ（ＣN,X）の値が、エラーの重大さ（Seriousness）に基づき順番付けられることに注目すべきである。値が高くなるほど、エラーの重要性は少なくなる。そして、
シンドロームＨＥＣ（ＣN,1）とシンドロームＨＥＣ（ＣN,2）が等しく、シンドロームＨＥＣ（ＣN＋1,1）とシンドロームＨＥＣ（ＣN＋1,2）に同じものが当てはまる場合、いずれかのセルが無差別に選び出され、
もし、シンドロームＨＥＣ（ＣN,1）とシンドロームＨＥＣ（ＣN,2）が等しいのに対して、シンドロームＨＥＣ（ＣN＋1,1）がシンドロームＨＥＣ（ＣN＋1,2）よりも大きい場合には、セルＣN,1が選択され、
もし、シンドロームＨＥＣ（ＣN,1）とシンドロームＨＥＣ（ＣN,2）が等しいのに対して、シンドロームＨＥＣ（ＣN＋1,1）がシンドロームＨＥＣ（ＣN＋1,2）よりも小さい場合には、セルＣN,2が選択され、
もし、シンドロームＨＥＣ（ＣN,1）がシンドロームＨＥＣ（ＣN,2）よりも大きい場合には、セルＣN,1が選択され、
そして最後に、もし、シンドロームＨＥＣ（ＣN,1）がシンドロームＨＥＣ（ＣN,2）よりも小さい場合には、セルＣN,2が選択される。
【００５１】
この順番付けを逆にすれば、上記の不等式も逆の結果となることを理解すべきである。
【００５２】
セルＣNとセルＣN,1のＨＥＣフィールドのシンドロームを考慮するという事実は、そのヘッダーにエラーはないものの、搬送するリンク内の断線に続いて、エラー情報のオクテットを有するセルＣN,Xを選択しないことを可能にする。この場合、セルＣN＋1,Xがエラーになることを理解すべきである。
【００５３】
最初の場合において、いずれかのセルが無差別に選び出されたところで、好ましくはその選択が、予め選択されたセルＣN-1,Xと同じリンクにより運ばれたセルＣN,Xから行なわれる。
【００５４】
本方法による利点は、ちょうど示したように、セルＣNおよびセルＣN,1のＨＥＣシンドロームを考慮することと、さらにシングルエラーだけ（１つのエラービットだけ）を有するセルと、複数エラー（複数のエラービット）を有するセルとを区別することにある。
【図面の簡単な説明】
【図１】  従来技術における保護方法を利用した伝送システムを示している。
【図２】  本発明における保護方法を利用した伝送システムを示している。
【図３】  図３は、本発明における保護方法を示すダイヤグラムである。
【符号の説明】
１，２  リンク
Ｂp,1  ブロック
Ｂp,2  ブロック
【図１】
0004328834.tif 000002
【図２】
0004328834.tif 000003
【図３】
0004328834.tif 000004